(57)【要約】【課題】右用／左用のモード切替操作をユーザが一々行うことなく、自分が見ているディスプレイに関して所望の操作を行うことができるようにする。【解決手段】自身を認識させるための認識コードを送信する赤外線発光部２１ｃ，２２ｃを各ディスプレイ２１，２２が備え、各ディスプレイ２１，２２が自身の認識コードをそれぞれ送信するとともに、リモコン３０がその位置に応じて実際に受信した認識コードに基づいて、対応するディスプレイ用の操作コードをディスプレイに向けて送信するようにすることにより、ユーザがリモコン３０のスイッチを操作してモードを一々切り替えることなく、操作対象とするディスプレイをリモコン３０自身が自動的に判断することができるようにする。【選択図】　　　　図２
2004096280.tif 000002
【特許請求の範囲】
【請求項１】
複数の電子機器と当該電子機器を遠隔から選択的に操作する操作部とを備えた電子機器の操作システムであって、
上記複数の電子機器は、自身を上記操作部に認識させるための認識コードを送信する認識コード送信手段と、
上記操作部から各種の操作コードを受信する操作コード受信手段とを備え、
上記操作部は、上記認識コード送信手段により送信された認識コードを受信する認識コード受信手段と、
上記認識コード受信手段により受信された認識コードに応じた操作コードを上記操作コード受信手段に向けて送信する操作コード送信手段とを備えたことを特徴とする電子機器の操作システム。
【請求項２】
上記電子機器は、種々のＡＶソースを表示する表示画面と、上記認識コードを赤外線により送信する赤外線発光部と、上記操作コードを赤外線により受信する赤外線受光部とを備えたディスプレイ装置であることを特徴とする請求項１に記載の電子機器の操作システム。
【請求項３】
上記認識コードの赤外線の照射範囲を上記操作コードの赤外線の照射範囲よりも狭くし、上記複数の電子機器から出力される赤外線の照射範囲が互いに重ならないようにしたことを特徴とする請求項２に記載の電子機器の操作システム。
【請求項４】
上記認識コード送信手段は、上記認識コードを断続的に送信するように成され、
上記操作コード送信手段は、上記認識コードが送信されていない時間帯に上記操作コードを送信するように成されていることを特徴とする請求項１に記載の電子機器の操作システム。
【請求項５】
上記認識コード送信手段は、上記操作部から仮の操作コードを受信したことに応答して上記認識コードを送信するように成され、
上記操作コード送信手段は、ユーザの操作に応じて上記仮の操作コードを送信するとともに、上記電子機器から上記認識コードを受信したことに応答して上記操作コードを送信するように成されていることを特徴とする請求項１に記載の電子機器の操作システム。
【請求項６】
種々のＡＶソースを表示する表示画面と、
遠隔の操作部に自身を認識させるための認識コードを送信する認識コード送信手段と、
上記認識コード送信手段により送信された認識コードに応じた各種の操作コードを上記操作部から受信する操作コード受信手段とを備えたことを特徴とするディスプレイ装置。
【請求項７】
上記認識コード送信手段および上記操作コード受信手段は、上記認識コードおよび上記操作コードを赤外線により送受信するように成され、上記認識コードの赤外線の照射範囲を上記操作コードの赤外線の照射範囲よりも狭くしたことを特徴とする請求項６に記載のディスプレイ装置。
【請求項８】
複数の電子機器から送信される、各々の電子機器を認識させるための認識コードを受信する認識コード受信手段と、
上記認識コード受信手段により受信された認識コードに応じた各種の操作コードを上記電子機器に向けて送信する操作コード送信手段とを備えたことを特徴とする操作装置。
【請求項９】
上記認識コード受信手段および上記操作コード送信手段は、上記認識コードおよび上記操作コードを赤外線により送受信するように成されていることを特徴とする請求項８に記載の操作装置。
【発明の詳細な説明】
【０００１】
【発明の属する技術分野】
本発明は電子機器の操作システム及びこれに用いるディスプレイ装置、操作装置に関し、特に、リモートコントローラ（以下、リモコン）等の操作部を用いて遠隔から複数の電子機器を選択的に操作するように成されたシステムに用いて好適なものである。
【０００２】
【従来の技術】
従来、車両の後部座席（前部座席の裏側等）にディスプレイを設置し、テレビやＤＶＤ（デジタル多用途ディスク）等のＡＶソースを再生して後部座席の搭乗者が楽しめるようにしたリアエンタテイメントシステムが提供されている。このシステムにおいて、ディスプレイにはコード受信用の赤外線受光部が搭載されており、ユーザがディスプレイに向けてリモコンを操作することによって、所望のＡＶソースを選択して再生することができるようになっている。
【０００３】
リアエンタテイメントシステムの中には、後部座席の左右に２台のディスプレイを備えたものも存在する。この種のリアエンタテイメントシステムでは、それぞれのディスプレイが赤外線受光部を１つずつ備え、それぞれにおいて異なるＡＶソースを選択して再生することができるようになっている。この場合、後部座席の左右のユーザは、１つのリモコンを使って左右のディスプレイに各々操作コードを送信することにより、それぞれが独立して好きなＡＶソースを選択する。
【０００４】
【発明が解決しようとする課題】
しかしながら、複数台のディスプレイを備えた従来のリアエンタテイメントシステムにおいては、左右それぞれのユーザがリモコンを使う度に、リモコンのスイッチを操作してモードを右用／左用に切り替えなければならず、非常に煩わしかった。モードの切り替えを行わないと、自分が見ているディスプレイに関して希望する操作を行うことができないばかりでなく、他人のディスプレイを誤って操作してしまうことがあるという問題があった。
【０００５】
本発明は、このような問題を解決するために成されたものであり、右用／左用のモード切替操作をユーザが一々行うことなく、自分が見ているディスプレイに関して所望の操作を行うことができるようにすることを目的とする。
また、本発明は、他のユーザが見ているディスプレイを誤って操作してしまう不都合をなくすことができるようにすることも目的とする。
【０００６】
【課題を解決するための手段】
上記した課題を解決するために、本発明では、複数の電子機器と当該電子機器を遠隔から選択的に操作する操作部とを備えたシステムにおいて、複数の電子機器は自身を認識させるための認識コードを送信する。操作部は、実際に受信した認識コードに基づいて、当該認識コードに応じた操作コードを電子機器に向けて送信する。このとき認識コードと操作コードの送受信は、例えば赤外線を利用して無線で行う。
【０００７】
このように構成した本発明によれば、操作部を持っているユーザの位置に応じて、複数の電子機器のうち何れか一の電子機器からそれを認識させるための認識コードが操作部で受信される。操作部では、このとき受信した認識コードに応じて、操作対象の電子機器が認識される。そして、ユーザが行った操作に応じて、上記のように認識された電子機器用の操作コードが送信される。これにより、ユーザがモード切替の操作を一々行わなくても、操作対象とする電子機器を操作部が自動的に認識し、その電子機器用の操作コードを送信することが可能となる。
【０００８】
また、本発明の他の態様では、認識コードの赤外線の照射範囲を操作コードの赤外線の照射範囲よりも狭くし、複数の電子機器から出力される赤外線の照射範囲が互いに重ならないようにしている。このように構成することにより、操作部では、その位置に応じて必ず何れか一の電子機器のみから認識コードが受信され、その電子機器にのみ有効な操作コードが送信されることとなるので、それを他の電子機器が受信しても作動しないようにすることが可能となる。
【０００９】
【発明の実施の形態】
以下、本発明の一実施形態を図面に基づいて説明する。
図１は、本発明による電子機器の操作システムを実施したリアエンタテイメントシステムの要部構成例を示す図である。
【００１０】
図１において、１はＡＭ／ＦＭ放送を受信して再生するラジオチューナ、２はテレビ放送を受信して再生するテレビチューナ、３はＣＤ（コンパクトディスク）を再生するＣＤプレーヤ、４はＤＶＤ（デジタル多用途ディスク）を再生するＤＶＤプレーヤである。
【００１１】
２１は車両の後部座席左側（左側前部座席の裏側）に設けられるＬリア・ディスプレイ、２２は後部座席右側（右側前部座席の裏側）に設けられるＲリア・ディスプレイである。
【００１２】
Ｌリア・ディスプレイ２１は、音声を出力するスピーカ２１ａ、映像を表示するモニタ部２１ｂ、自身をリモコン３０に認識させるための認識コード（左認識コード）を赤外線により送信する赤外線発光部２１ｃ（本発明の認識コード送信手段）、リモコン３０から各種の操作コードを赤外線により受信する赤外線受光部２１ｄ（本発明の操作コード受信手段）を備えている。
【００１３】
Ｒリア・ディスプレイ２２も同様に、音声を出力するスピーカ２２ａ、映像を表示するモニタ部２２ｂ、自身をリモコン３０に認識させるための認識コード（右認識コード）を赤外線により送信する赤外線発光部２２ｃ（本発明の認識コード送信手段）、リモコン３０から各種の操作コードを赤外線により受信する赤外線受光部２２ｄ（本発明の操作コード受信手段）を備えている。
【００１４】
１０はヘッドユニットであり、ラジオチューナ１、テレビチューナ２、ＣＤプレーヤ３、ＤＶＤプレーヤ４の各種ＡＶ機器と接続されており、これらのＡＶ機器から音声ソース信号および映像ソース信号を入力する。また、ヘッドユニット１０は、Ｌリア・ディスプレイ２１、Ｒリア・ディスプレイ２２と接続されており、ヘッドユニット１０の内部で処理された音声信号および映像信号を各ディスプレイ２１，２２に出力する。
【００１５】
このヘッドユニット１０はコンソール等に設置され、各種ＡＶ機器１〜４と各ディスプレイ２１，２２とを集中制御する。例えば、ヘッドユニット１０は、ディスプレイ２１，２２の赤外線発光部２１ｃ，２２ｃからリモコン３０に対して各自の認識コードを送信するように制御する。また、リモコン３０からディスプレイ２１，２２の赤外線受光部２１ｄ，２２ｄを介して受信した操作コードに応じて、ユーザが希望するＡＶソースを選択してスピーカ２１ａ，２２ａおよびモニタ部２１ｂ，２２ｂにて再生するように制御する。
【００１６】
リモコン３０は、各ディスプレイ２１，２２から送られてくる赤外線の認識コードを受信する赤外線受光部３０ａ（本発明の認識コード受信手段）と、受信した認識コードに応じて、当該認識コードに対応するディスプレイを操作対象とする操作コードを赤外線により送信する赤外線発光部３０ｂ（本発明の操作コード送信手段）とを備えている。
【００１７】
図２は、上述したディスプレイ２１，２２およびリモコン３０の車内での使用イメージを示す図である。図２に示すように、Ｌリア・ディスプレイ２１は、車両の後部座席左側に配置される。また、Ｒリア・ディスプレイ２２は、後部座席右側に配置される。
【００１８】
このように後部座席の左右に配置されたそれぞれのディスプレイ２１，２２が備える赤外線発光部２１ｃ，２２ｃは、自身を認識させるための認識コードを赤外線により送信する。すなわち、Ｌリア・ディスプレイ２１の赤外線発光部２１ｃは左認識コードを送信し、Ｒリア・ディスプレイ２２の赤外線発光部２２ｃは右認識コードを送信する。
【００１９】
このとき、各赤外線発光部２１ｃ，２２ｃが発光する赤外線の照射範囲を、リモコン３０が発光する赤外線の照射範囲よりも狭くして、各ディスプレイ２１，２２から出力される赤外線の照射範囲が互いに重ならないようにする。これにより、後部座席の左側にいるユーザがリモコン３０を操作しようとするときは、リモコン３０は必ずＬリア・ディスプレイ２１から左認識コードを受信する。また、後部座席の右側にいるユーザがリモコン３０を操作しようとするときは、リモコン３０は必ずＲリア・ディスプレイ２２から右認識コードを受信する。
【００２０】
リモコン３０は、左認識コードあるいは右認識コードのどちらを受信したかに応じて、操作対象とするディスプレイを認識する。このような状態で、ユーザがリモコン３０を操作すると、リモコン３０は、上述のようにして認識されたディスプレイ用の操作コードを赤外線発光部３０ｂから送信する。図２のように、リモコン３０が右認識コードを受信したときは、リモコン３０の操作に応じて右操作コードを送信する。
【００２１】
このときリモコン３０から出力される赤外線は指向性が高くなく、照射範囲が広いため、左右のディスプレイ２１，２２の双方で受信されることもある。しかし、右操作コードはＲリア・ディスプレイ２２にのみ有効なコードなので、Ｌリア・ディスプレイ２１がこれを受信しても作動することはない。Ｒリア・ディスプレイ２２で受信された右操作コードはヘッドユニット１０に送られ、ユーザの希望したＡＶソースがスピーカ２２ａおよびモニタ部２２ｂにて再生される。
【００２２】
図３は、上記のように構成した本実施形態によるリアエンタテイメントシステムの動作例を示すフローチャートである。図３において、各ディスプレイ２１，２２は、自身の認識コードを送信する（ステップＳ１）。この認識コードの送信は、後述するステップＳ９およびステップＳ１０の処理を経て所定の時間間隔（例えば５００ｍｓｅｃあるいは３００ｍｓｅｃおき）に断続的に行う。
【００２３】
一方、リモコン３０は、認識コードを受信したかどうかを判定し（ステップＳ２）、受信した場合は、その受信した認識コードに基づいて、操作対象とするディスプレイを認識する（ステップＳ３）。そして、ユーザによってリモコン３０の操作が行われたかどうかを判定し（ステップＳ４）、行われていない場合はステップＳ２に戻る。
【００２４】
何らかの操作が行われた場合は、現在ディスプレイ２１，２２から認識コードを受信中かどうかについて判定する（ステップＳ５）。認識コードを受信中のときは、その受信が完了するまで待機する（ステップＳ６）。そして、その受信完了後に、受信した認識コードに基づいて操作対象のディスプレイを認識する（ステップＳ７）。
【００２５】
上記ステップＳ４でリモコン３０の操作が行われたときに認識コードを受信中でなかった場合、あるいは、受信中であった認識コードの受信が完了した場合、リモコン３０は、認識したディスプレイを操作するための操作コードを送信した後（ステップＳ８）、ステップＳ２に戻る。
【００２６】
ディスプレイ２１，２２では、上記ステップＳ１にて認識コードを送信した後は、リモコン３０から操作コードを受信したかどうかを判定し（ステップＳ９）、受信していない場合は直ちにステップＳ１に戻る。また、操作コードを受信した場合は、それをヘッドユニット１０に転送した後（ステップＳ１０）、ステップＳ１に戻る。
【００２７】
以上詳しく説明したように、本実施形態によれば、複数のディスプレイ２１，２２のそれぞれから自身の認識コードを送信し、リモコン３０がその位置に応じて実際に受信した認識コードに基づいて各種の操作コードを送信するようにしたので、操作対象とするディスプレイがどちらであるかをリモコン３０自身が自動的に判断することができる。したがって、ユーザがリモコン３０のスイッチを操作してモードを右用／左用に一々切り替えなくても、自分のディスプレイに対して所望の操作を行うことができるようになる。
【００２８】
また、本実施形態によれば、各ディスプレイ２１，２２から発光される赤外線の照射範囲が互いに重ならないように指向性を持たせているので、リモコン３０はその位置に応じて必ず何れか一方のディスプレイのみから認識コードを受信するようになる。よって、リモコン３０からは、受信した認識コードに対応するディスプレイにのみ有効な操作コードが送信されることとなるので、隣のディスプレイを誤って操作してしまう不都合をなくすこともできる。
【００２９】
また、本実施形態によれば、各ディスプレイ２１，２２から認識コードを断続的に送信するとともに、リモコン３０からは認識コードが送信されていない時間帯に操作コードを送信するようにしたので、認識コードの赤外線と操作コードの赤外線との干渉を防ぐことができる。
【００３０】
図４は、本実施形態によるリアエンタテイメントシステムの他の動作例を示すフローチャートである。図４において、最初にリモコン３０は、ユーザによる操作待ちの状態となっており（ステップＳ１１）、ディスプレイ２１，２２は仮の操作コードの受信待ちの状態となっている（ステップＳ１３）。
【００３１】
ユーザがリモコン３０に対して何らかの操作を行うと、リモコン３０は仮の操作コードを送信する（ステップＳ１２）。仮の操作コードは、ディスプレイ２１，２２の双方に対して有効なコードであり、各自の認識コードの送信を要求する操作コードである。これを各ディスプレイ２１，２２が受信すると（ステップＳ１３）、各ディスプレイ２１，２２は、自身の認識コードを送信する（ステップＳ１４）。
【００３２】
リモコン３０は、仮の操作コードを送信した後は、ディスプレイ２１，２２からの認識コードの受信待ち状態になる（ステップＳ１５）。そして、リモコン３０が認識コードを受信すると、その受信した認識コードに基づいて、操作対象とするディスプレイを認識し（ステップＳ１６）、認識したディスプレイ用の操作コードを送信した後（ステップＳ１７）、ステップＳ１１に戻る。
【００３３】
一方、ディスプレイ２１，２２では、認識コードを送信した後は、リモコン３０からの操作コードの受信待ち状態になる（ステップＳ１８）。そして、リモコン３０から操作コードを受信すると、それをヘッドユニット１０に転送した後（ステップＳ１９）、ステップＳ１３に戻る。
【００３４】
この図４のように動作させた場合、ディスプレイ２１，２２では、ユーザがリモコン３０に対して何らかの操作を行ったときにのみ、そのとき送られてくる仮の操作コードに応答して認識コードを出力すれば良くなる。したがって、認識コードの赤外線と操作コードの赤外線との干渉を防ぐことができるばかりでなく、消費電力を削減することができるというメリットも有する。
【００３５】
なお、上記実施形態では、後部座席の左右に２台のディスプレイ２１，２２を備える例について説明したが、３台以上のディスプレイを備えるリアエンタテイメントシステムにも同様に本発明を適用することが可能である。
【００３６】
また、上記実施形態では、車両のリアエンタテイメントシステムに本発明を適用した例について説明したが、これに限定されるものではない。すなわち、指向性の低い（照射範囲の広い）操作部を用いて複数の電子機器を選択的に操作するシステムであれば、何れにも本発明を適用することが可能である。
【００３７】
例えば、複数のパーソナルコンピュータ（以下、パソコン）が近接して配置された室内において、いわゆるＢｌｕｅｔｏｏｔｈや無線ＬＡＮの機能が搭載された携帯電話やＰＤＡ（Ｐｅｒｓｏｎａｌ　Ｄｉｇｉｔａｌ　Ａｓｓｉｓｔａｎｔｓ）等を用いてパソコンを遠隔操作するような場合にも、本発明を適用することが可能である。
【００３８】
また、複数台のＡＴＭ（Ａｕｔｏｍａｔｉｃ　Ｔｅｌｌｅｒ’ｓ　Ｍａｃｈｉｎｅ）が近接して配置された銀行内において、いわゆるＢｌｕｅｔｏｏｔｈや無線ＬＡＮの機能が搭載された携帯電話やＰＤＡ等を用いて現金の引き出しや振込、残高照会などの遠隔操作をするような場合にも、本発明を適用することが可能である。
【００３９】
これらの例では、ユーザが各々所持している携帯電話やＰＤＡ等を操作部として利用することになるが、操作部はその位置に応じて必ず何れか一の電子機器のみから認識コードを受信し、その受信した認識コードに対応する電子機器にのみ有効な操作コードをそれぞれの操作部が送信することとなる。したがって、携帯電話やＰＤＡ自身が持つ赤外線発光部の指向性を狭くすることなく、隣の電子機器を誤って操作してしまう不都合をなくすことができる。
【００４０】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００４１】
【発明の効果】
以上説明したように本発明によれば、複数の電子機器が自身を認識させるための認識コードを送信するとともに、操作部が実際に受信した認識コードに応じて各種の操作コードを電子機器に向けて送信するようにしたので、操作対象とする電子機器を操作部自身が自動的に判断することができ、ユーザが操作部のスイッチを操作してモードを一々切り替えなくても、自分の電子機器に対して所望の操作を行うことができるようになる。
【００４２】
また、本発明の他の特徴によれば、複数の電子機器から発光される赤外線の照射範囲が互いに重ならないように指向性を持たせたので、操作部はその位置に応じて必ず何れか一の電子機器のみから認識コードを受信し、受信した認識コードに対応する電子機器にのみ有効な操作コードを送信することができ、他の電子機器を誤って操作してしまう不都合をなくすこともできる。
【図面の簡単な説明】
【図１】本発明による電子機器の操作システムを実施したリアエンタテイメントシステムの要部構成例を示す図である。
【図２】本実施形態によるディスプレイおよびリモコンの車内での使用イメージを示す図である。
【図３】本実施形態によるリアエンタテイメントシステムの動作例を示すフローチャートである。
【図４】本実施形態によるリアエンタテイメントシステムの他の動作例を示すフローチャートである。
【符号の説明】
１０　ヘッドユニット
２１　Ｌリア・ディスプレイ
２１ｃ　赤外線発光部（認識コード送信手段）
２１ｄ　赤外線受光部（操作コード受信手段）
２２　Ｒリア・ディスプレイ
２２ｃ　赤外線発光部（認識コード送信手段）
２２ｄ　赤外線受光部（操作コード受信手段）
３０　リモコン
３０ａ　赤外線受光部（認識コード受信手段）
３０ｂ　赤外線発光部（操作コード送信手段）
【図１】
2004096280.tif 000003
【図２】
2004096280.tif 000004
【図３】
2004096280.tif 000005
【図４】
2004096280.tif 000006